【事件の表示】
　特許第２９４８２６６号「遊技システム」の特許に対する特許異議の申立てについて、次のとおり決定する。
【結　論】
　特許第２９４８２６６号の特許を維持する。
【理　由】
（１）本件発明
本件特許第２９４８２６６号（平成２年４月２３日出願、平成１１年７月２日設定登録。）の請求項１に係る発明（以下、「本件発明」という。）は、その特許請求の範囲の請求項１に記載された事項により特定されるとおりのものである。
（２）申立ての理由の概要
申立人河井清悦は、本件発明は、甲第１号証（特開平１−１７５８８０号公報）及び甲第２号証（特開昭６４−６４６８１号公報）に記載された発明に基づいて、当業者が容易に発明をすることができたものであるから、特許法第２９条第２項の規定により特許を受けることができないものであり、又は、本件出願の日前の他の出願であって、その出願後に出願公開された甲第３号証（特願平１−３４４０６０号（特開平３−２２２９８２号）の願書に最初に添付した明細書及び図面｛以下「先願明細書」という｝）に記載された発明と同一であり、しかも、本件発明の発明者が前記先願明細書に記載された発明者と同一の者でも、本件出願の出願時の出願人と上記他の出願の出願人とが同一の者でもないから、同法第２９条の２第１項の規定により特許を受けることができないものであるから、本件発明の特許は、同法第１１３条第１項第２号の規定により取り消されるべきと主張している。
なお、申立人は甲第３号証として特開平３−２２２９８２号公報を提示しているが、特願平２−２７７１９６号は本件出願日後に出願されたものであり、特許法第２９条の２で規定する他の特許出願とはならないから甲第３号証を上記のようにした。
（３）甲号証等に記載の発明
甲第１、２号証及び先願明細書にはそれぞれ以下のとおり記載されている。
甲第１号証には、「パチンコ台１５内には、パチンコ玉（図示せず）を貯留するための玉受部１８が、遊技者により目視可能で且つ外部から遮蔽された状態（例えば前面側に窓部が設けられ且つこの窓部が透明板により閉鎖された状態）で設けられており、この玉受部１８内のパチンコ玉が玉発射機構１７により盤面１９に向けて発射されるようになっている。」（第６頁左上欄第２行〜第９行）、「玉受部１８には、その収納パチンコ玉（つまり遊技に供されるパチンコ玉）が所定の下限個数Ｎｍｉｎ（例えば５〜１０個程度）以下になったときに残玉検知信号Ｓａを発生する残玉検知装置２５が設けられている。」（第６頁左下欄第１５行〜第２０行）、「２８はパチンコ台の背面側に設けられた玉供給装置で、これは本発明でいう放出機構及び補助放出機構を兼用した構成になっている。この玉供給装置２８は、タンク２０内のパチンコ玉を玉受部１８へ選択的に放出するために設けられたものであり．．．．与えられる指令信号により指定された数のパチンコ玉を玉受部１８へ放出するように構成されている。また、パチンコ台１５の前面上部には、カード挿入口１６に挿入された遊技券６を取出すための返却ボタン２９、．．．．．．．さらに、パチンコ台１５の前面下部には、例えば４個のセレクトボタン３５ａ〜３５ｄが設けられており、各セレクトボタン３５ａ，３５ｂ，３５ｃ，３５ｄに夫々対応して、例えば「１００円・２５個」，「２００円・５０個」，「３００円・７５個」，「５００円・１２５個」の各表示（何れも図示せず）が施されている。．．．．．．３６はカード挿入口１６に対応して設けられたカード出し入れ装置で、これはカード挿入口１６に遊技券６が挿入されたときにその遊技券６を挿入状態に保持すると共に、後述する返却指令信号Ｓｒｅが与えられたときに遊技券６を排出するように構成されている。．．．」（第６頁右下欄第１０行〜第７頁右上欄第１０行）、「．．．挿入された遊技券６をカード出し入れ装置３６により挿入状態に保持する（ステップＢ２）と共に、その遊技券６の記憶データ（金額情報及びパチンコ玉数情報等）をカードリーダ３７により読み込んで記憶部３８に記憶する（ステップＢ３）。」（第８頁左上欄第１行〜第９行）、「放出ステップＢ１７では、玉供給装置２８に対して、セレクトボタン３５ａ〜３５ｄの操作に応じて指定されたＮ′ 個のパチンコ玉を放出するように指令するものであり、これに応じて玉供給装置２８から玉受部１８に対してＮ′個のパチンコ玉が供給されるようになる。．．．上記放出パチンコ玉数Ｎ′ は、遊技券６に記憶された遊技用情報の残高（金額情報の残高はパチンコ玉数に換算して考える）に対応したパチンコ玉数を越えないように制御される。一方、残高演算・記憶更新ルーチンＢ１８では、記憶部３８におけるパチンコ玉数情報記憶エリアの記憶パチンコ玉数Ｎを上記放出パチンコ玉数Ｎ′ 分だけ減少させる。」（第９頁左上欄第８行〜右上欄第１行）、「．．．．．玉受部１８内のパチンコ玉が予め設定された下限個数Ｎｍｌｎ以下になったか否かを判断するステップＢ２０へ移行する。」（第９頁左下欄第２０行〜右下欄第８行）、「ステップＢ２０で「ＹＥＳ」と判断した場合（玉受部１８内のパチンコ玉が残り少なくなった場合）には、アップダウンカウン夕４０の計数値Ｘが「１」以上あるか否か、換言すれば玉受部１８をオーバーフローしたパチンコ玉があるか否かを判断する（ステップＢ２２）。．．．．．．記憶パチンコ玉数Ｎが零か否かを判断する（ステップＢ２６）。ここで「ＮＯ」と判断したとき、つまりパチンコ玉数情報表示部３１の表示が「０」以外の状態では、前記ステップＢ１７へ移行して前述同様のパチンコ玉の放出及び記憶内容の更新等を行なう。．．．．．ステップＢ２６で「ＹＥＳ」と判断したとき、つまり記憶パチンコ玉数Ｎひいてはパチンコ玉数情報表示部３１の表示が「０」となったときには、記憶部３８の記憶金額Ｍが零か否かを判断する（ステップＢ２７）。ここで「ＮＯ」と判断したとき、つまり金額情報表示部３０の表示が「０」以外の状態では、前記ステップＢ１７へ移行して前述同様のパチンコ玉の放出及び記憶内容の更新等を行なう。．．．．．．」（第１０頁左上欄第２行〜右下欄第１９行）、「遊技券６がカード挿入口１６に挿入された状態において、返却ボタン２９が操作されたときには、玉発射機構１７の操作ハンドル１７ａ（第３図参照）が操作されていないことを条件に直ちに割込みが掛けられて遊技券６が返却されるようになっている。但し、この返却前には、玉発射装置１７の電源遮断、稼働中信号Ｓｄｄの出力停止、開閉装置２３の解放に伴う玉受部１８内のパチンコ玉の計数、その計数値Ｚの読み込み及び記憶、並びにアップダウンカウン夕４０の計数値Ｘ及び上記計数値Ｚと記憶パチンコ玉数Ｎとの加算が前記ステップＢ３７〜Ｂ４１と同様に行われた後に、遊技券６に対して、上記加算結果（遊技者がパチンコ台１５を打止することなく得たパチンコ玉数と、遊技券６に記憶されたパチンコ玉数情報のうち遊技に供されなかったパチンコ玉数との和に相当）と、記憶金額Ｍとを遊技用情報として記憶させる共に、その遊技券６の特典情報を初期化するという制御が行なわれる。」（第１１頁左下欄第７行〜右下欄第６行）、「遊技に伴い玉受部１８内のパチンコ玉が下限個数Ｎｍｉｎ以下になったときには、前記オーバーフローしたパチンコ玉数（実際にはアップダウンカウン夕４０による計数値Ｘ）の範囲内、若しくは前記記憶金額Ｍ及び記憶パチンコ玉数Ｎの範囲内で玉受部１８内にパチンコ玉を自動的に補給する」（第１２頁左上欄第７行〜第１２行）と記載されている。
甲第２号証には、「．．．．．登録持ち球以内の遊技球を前記持ち球皿に自動的に、もしくは遊技者の操作によりパチンコゲーム機の持ち球皿内に排出して前記登録持ち球から減算する修正手段と、．．．」（第１頁左欄第５行〜第１７行）、「パチンコ機Ｐの盤面１０背後には第２図に示すように、上方にパチンコ球の配流口３０を受けて持ち球皿１３に至る送球管３２に中間にはパルス発振器３３ａと、信号によって発停する発停器３４を備え、制御器５０からの指令によって所定個数のパチンコ球を送球する送球ポンプ３５が設けられている。」（第３頁左上欄第８行〜第１４行）、「．．．内部にはカード挿入口２１から挿入されたカードＣから各種情報を読取り、制御器５０からの情報を書き込む読取書き込み部２４と操作ボタンに対応するスイッチ部とが設けられている。」（第３頁右上欄第８行〜第１６行）、「．．．．スイッチ部２５の操作ボタン２３，２３ａ…のうち適切な一つを押すと持ち球皿１３にパチンコ球が供給され、供給数に対応する個数は表示盤上の個数から差し引かれて修正表示される。．．．．．持ち球皿１３内に実球が乏しくなったらスイッチ部２５の操作ボタン２３，２３ａ…のうち適切な一つを押して実球の供給を受ける。言うまでもなくこの際供給される実球は表示部２２に表示されている登録持ち球を超えることはない。．．．．．遊技終了時には操作ボタン２３によって開閉バルブ４０を開き、持ち球皿１３内の実球を開放管４１に落し排球ポンプ３８によって計数し表示登録個数に加算して全持ち球を表示させ確認する。この間持ち球の情報はカードＣに書き込まれている。．．．．カードＣを操作盤２０から取出し、景品交換所に提示すればカードを読み取って景品が支給される。」（第３頁左下欄第６行〜第４頁左欄第７行）と記載されている。
先願明細書には、「本発明は、少なくとも遊技球の貸出しに関する情報が記憶されたカードを挿入することによっても、遊技可能なパチンコ機に関するものである。」（特許請求の範囲）、「．．．．．前面板５の前面には、投入されたパチンコ球をガイドレール７の発射位置へ一個づつ導くための打球供給皿１１が取りつけられている。．．．．．下部球受皿１３は、前面枠３の下部に固着される支持部材１４に灰皿１５や後述する力−ド読取り装置３０を取りつける取付部５０等と一体的に形成されている。また、前記打球供給皿１１には、残量球数を検出するための残球検出器１６が設けられる。．．．．流路部分にパチンコ球が無くなると、投光器から放射された光が受光器に入射してＯＮし、そのＯＮ信号に基づいて所定数の遊技球が貸し出しされる。ただし、この貸出は、後述するカードに貸球情報が有るときに限る。（明細書第３頁１２行〜第５頁５行）、「．．．．．．パチンコ機１の背面には、各パチンコ機１毎にそれぞれ球貸装置２４が設けられる。この球貸装置２４は、カードの貸球情報に基づいて所定個数づつの遊技球を貸し出すような機構を内蔵しており、．．．．．．力一ド読取り装置３０に貸球情報が記録されたカードを挿入すると、その貸球情報がマイクロコンピュータ２７の情報記憶部に記憶される。．．．打球供給皿１１にパチンコ球がないため残球検出器１６がＯＮとなる。これによって、マイクロコンピュータ２７に貸出信号が与えられ、マイクロコンピュータ２７は球貸装置２４に駆動信号を与えて所定数（例えば、２５個）のパチンコ球を貸球として打球供給皿１１に排出する。この球貸装置２４による球貸動作が一回行われると、前記情報記録部及びカードの貸球情報から貸球排出数に相当する情報がそれぞれ減算される。上記したような状態で遊技が行われ、その過程で打球供給皿１１のパチンコ球が減少して残球検出器１６がＯＮすると、カードに貸球情報が有る限り再び前述の動作を繰り返して一定数のパチンコ球を打球供給皿１１に排出する。一方、カードに貸球情報が有る状態で遊技を中止する場合には、力−ド読取り装置３０に設けられる後述する精算ボタン３６を操作する。そうすると、カード送り出し指令信号がマイクロコンピュータ２７に与えられ、マイクロコンピュータ２７は、カード読取り装置３０を駆動してカードを返却する。．．．」（明細書第５頁第１５行〜第８頁第４行）「カードでなく、通常の球貸し機によって借り受けたパチンコ球を打球供給皿１１に投入することによっても遊技できるため、カード読取り装置３０が必要ない場合があり」（明細書第１２頁１４行〜１７行）と、記載されている。
（４）対比・判断
上記甲第１，２号証及び先願明細書に記載された発明は、本件発明を特定する事項である「自動玉貸動作及び手動玉貸動作の何れかを選択するための選択スイッチと、この選択スイッチにより自動玉貸動作が選択された状態では、前記検出手段が検出状態となる毎に前記保持対価の範囲内で前記玉貸手段から単位個数ずつのパチンコ玉を放出させると共に、上記保持対価をその放出パチンコ玉数に応じた価額分だけ減少させる制御を行い、前記選択スイッチにより手動球貸動作が選択された状態では、前記玉貸スイッチが操作される毎に前記保持対価の範囲内で前記玉貸手段から単位個数ずつのパチンコ玉を放出させると共に、上記保持対価をその放出パチンコ玉数に応じた価額分だけ減少させる制御を行う制御手段とを備えた」構成を備えておらず、又、これを示唆する記載も認められない。本件発明は上記構成を備えることにより、「パチンコ球の貸出を受けるための操作を遊技者が望むときのみ大幅に簡単化できるようになる」という上記甲第１，２号証及び先願明細書に記載されていない顕著な効果を奏するものであるから、本件発明が上記甲第１及び２号証記載の発明に基づいて当業者が容易に発明をすることができたものとすることはできず、かつ、先願明細書記載の発明と同一でないことも明らかである。
 なお、異議申立書において異議申立人は「 自動玉貸動作及び手動玉貸動作の何れかを選択すること」は甲第２号証に記載されている、そして、そのための選択スイッチを設けることは容易であると主張しているが、甲第２号証の「遊技球を前記持ち球皿に自動的に、もしくは遊技者の操作によりパチンコゲーム機の持ち球皿内に排出して」という記載のみから、１のパチンコゲーム機で遊技球を持ち球皿に自動的に排出することと、遊技者の操作により排出することが選択できることを示唆しているとは認められない。
又、前記「 自動玉貸動作及び手動玉貸動作の何れかを選択すること」は甲第３号証の「自動・手動切替スイッチを設け、該スイッチが自動を選択されているときに前記残球検出器が働き、手動が選択しているときに前記金額ボタンが働くようにしてもよいｏ 」と同じであると主張しているが、甲第３号証である特願平１−３４４０６０号の願書に最初に添付した明細書には、上記記載はない。
（５）むすび
 以上のとおりであるから、特許異議申立の理由及び証拠によっては、本件発明の特許を取り消すことはできない。
また、他に本件発明の特許を取り消すべき理由を発見しない。よって、結論のとおり決定する。
【異議決定日】
平成１２年６月１６日（２０００．６．１６）